(57)【要約】【課題】  ユーザ毎に、動作モードに応じてセキュリティレベルを変化させることができる電子機器を提供する。【解決手段】  認証形態の異なる複数のセキュリティ機能を有する携帯機器１０であって、携帯機器１０の動作モード毎に前記セキュリティ機能のいずれを機能させるかを設定するためのセキュリティ制御部１１を備える。【選択図】  図１
2006215730.tif 000002
【特許請求の範囲】
【請求項１】
認証形態の異なる複数のセキュリティ機能を有する電子機器であって、
前記電子機器の動作モード毎に前記セキュリティ機能のいずれを機能させるかを設定するためのセキュリティ機能制御手段を備える電子機器。
【請求項２】
前記セキュリティ手段は、パスワード入力、指紋、網膜、音声等の生体情報入力または文字入力に基づいて認証を行う請求項１記載の電子機器。
【請求項３】
前記セキュリティ制御手段におけるセキュリティ機能の設定状況と認証の実行状況とを報知する報知手段を備える請求項１記載の電子機器。
【発明の詳細な説明】
【技術分野】
【０００１】
本発明は、認証形態の異なる複数のセキュリティ機能を有する電子機器に関する。
【背景技術】
【０００２】
携帯電話端末等の携帯機器に代表される電子機器は、近年、通信インフラの発展とも相俟って高機能化が促進され、電子マネー機能やカメラ機能などが搭載されてきている。特に、携帯機器では、個人情報の入力や蓄積が行われるため、他人に不用意に個人情報を知られたり、携帯機器を悪用されたりしないようにするためのセキュリティ機能が益々重要となっている。
【０００３】
従来の携帯機器におけるセキュリティ機能は、パスワード入力による本人認証が一般的である（例えば、特許文献１参照）が、最近は指紋や網膜、音声などの生体情報の照合による生体認証技術も開発されている。
【特許文献１】特開２００４−１１０８４０号公報（第５−９頁、第１図）
【発明の開示】
【発明が解決しようとする課題】
【０００４】
しかしながら、上記従来のセキュリティ機能の場合、次のような問題があった。例えば、パスワードを入力する方式では、長い文字列のランダムな組み合わせとすることでセキュリティレベルは向上するが、パスワードを長くするほど忘れ易く、またパスワードを忘れた場合にはセキュリティ保護が解除されないという問題があった。一方、指紋認証などのパスワード入力によらないセキュリティ機能でも、厳重なセキュリティのため機器の使用が著しく制限されたり、認証の信頼性や時間がかかるなどの問題があった。
【０００５】
つまり、パスワードの入力やそれ以外によるセキュリティ（認証）機能にはそれぞれにデメリットがあるため、それらを単独で採用すること自体に課題があった。機器の使用状況に応じて、複数のセキュリティ機能を組み合わせて利用すれば、互いのデメリットを補い、高度なセキュリティレベルを構成することができると考えられる。
【０００６】
本発明は、上記従来の事情に鑑みてなされたものであって、ユーザ毎に、動作モードに応じてセキュリティレベルを変化させることができる電子機器を提供することを目的とする。
【課題を解決するための手段】
【０００７】
本発明の電子機器は、認証形態の異なる複数のセキュリティ機能を有する電子機器であって、前記電子機器の動作モード毎に前記セキュリティ機能のいずれを機能させるかを設定するためのセキュリティ機能制御手段を備える。
【０００８】
上記構成によれば、電子機器の動作モード毎に前記セキュリティ機能のいずれを機能させるかを設定するためのセキュリティ機能制御手段を備えることにより、複数のセキュリティ機能の組み合わせにより認証形態を異ならせることができる為、ユーザ毎に、動作モードに応じてセキュリティレベルを変化させることができる。
【０００９】
また、本発明の電子機器は、前記セキュリティ手段が、パスワード入力、指紋、網膜、音声等の生体情報入力または文字入力に基づいて認証を行うものである。
【００１０】
さらに、本発明の電子機器は、前記セキュリティ制御手段におけるセキュリティ機能の設定状況と認証の実行状況とを報知する報知手段を備える。
【発明の効果】
【００１１】
本発明によれば、電子機器の動作モード毎に前記セキュリティ機能のいずれを機能させるかを設定するためのセキュリティ機能制御手段を備えることにより、複数のセキュリティ機能の組み合わせにより認証形態を異ならせることができる為、ユーザ毎に、動作モードに応じてセキュリティレベルを変化させることができる。
【発明を実施するための最良の形態】
【００１２】
以下、添付図面を参照しながら本発明の実施形態に係る携帯機器について詳細に説明する。図１は、本発明の実施の形態における携帯機器の内部構成を示すブロック図である。  携帯機器１０は、認証形態の異なる複数のセキュリティ機能を有するものであり、セキュリティ制御部１１、セキュリティ情報記憶部１２、セキュリティ確認部１３、入力部１４、通信機能部１５、出力部１６、記憶部１７を備える。
【００１３】
セキュリティ制御部１１は、携帯機器１０の動作モード毎に、複数のセキュリティ機能のいずれを機能させるかを設定するための制御部であり、各動作モードにおけるセキュリティ機能の設定時や、それぞれのセキュリティ機能動作時における制御を行う。これらの制御は、セキュリティ制御部１１が内部に格納するプログラムを実行することにより、ソフトウエア的に実現される。セキュリティ情報記憶部１２は、照合元データを記憶する。  セキュリティ確認部１３は、セキュリティ制御部１１からの制御信号に基づいて、入力データとセキュリティ情報記憶部１２に記録された照合元データとを比較して一致、不一致を判定する。
【００１４】
入力部１４は、携帯機器の操作者のセキュリティ設定やデータの入力を受け付け、セキュリティ制御部１１へ伝達する。通信機能部１５は、電話やデータ送受信などの各種通信を行う。出力部１６は、セキュリティ制御部１１におけるセキュリティ機能の設定状況と認証の実行状況とを報知するものであり、セキュリティ機能の設定状況表示など、各種出力を行う。記憶部１７は、セキュリティ情報以外の各種情報を記憶する。
【００１５】
尚、本実施の形態の携帯機器では、パスワード認証、ＤＮＡや指紋、網膜、音声等の生体情報の照合による認証、文字識別など、少なくとも２種類以上の認証形態の異なるセキュリティ機能を備えている。各セキュリティ機能は、公知の手段を用いて構成すればよく、従って詳細な説明を省略する。
【００１６】
次に、上記構成の携帯機器の動作について説明する。
【００１７】
図２は、本発明の実施の形態における携帯機器の、セキュリティ機能の組み合わせ設定例を示す図である。この携帯機器では、４種類の動作モードにおいてセキュリティ機能の組み合わせを設定している。即ち、セキュリティ機能を動作させない動作モードＡ、セキュリティａとセキュリティｂの両方のセキュリティ機能を動作させる動作モードＢ、セキュリティａまたはセキュリティｃのいずれかのセキュリティ機能を動作させる動作モードＣ、更に、セキュリティａまたはセキュリティｃのいずれかと、セキュリティｂの２つのセキュリティ機能を動作させる動作モードＤ、の４種類である。従って、動作モードＢやＤの場合、２種類のセキュリティ機能に基づいた認証が必要となるため、セキュリティレベルを強化することができる。尚、セキュリティ機能の種類として、ここでは、セキュリティａをパスワード入力、セキュリティｂを指紋入力、セキュリティｃを音声入力による認証とする。
【００１８】
例えば、動作モードＡは警察署や消防署などの緊急を要する番号に電話をかける場合のモード、動作モードＢはアドレス帳などの閲覧、編集を行うモード、動作モードＣは写真の閲覧、編集を行うモード、動作モードＤは電子マネーを使用する場合のモード、などと設定する。
【００１９】
動作モードＡでは、セキュリティ機能が設定されないため、セキュリティの保護解除動作を行うことなく特定の番号などに誰でも電話をかけることができる。
【００２０】
図３は、動作モードＢにおけるセキュリティの設定及び保護解除動作の手順を示すフローチャートである。
【００２１】
アドレス帳の閲覧、編集を実行する「動作モードＢ」の場合、初期設定（セキュリティ設定）では、上記のように、セキュリティａ（パスワード入力）とセキュリティｂ（指紋入力）の両方のセキュリティ機能で動作可否を判定するように設定されている（ステップＳ１０１）。即ち、この携帯機器では、両方のセキュリティ機能で確認を行って問題がない場合のみアドレス帳の閲覧、編集が行える。
【００２２】
携帯機器の操作者が、入力部１４を介して「動作モードＢ」を選択すると（ステップＳ１０２）、セキュリティ制御部１１は、当該モードにおけるセキュリティ機能の設定の有無を判断する（ステップＳ１０３）。
【００２３】
選択した「動作モードＢ」ではセキュリティ機能が設定されているので、セキュリティ制御部１１は、はじめに、セキュリティａの機能を動作させ、パスワード入力を要求する。操作者が、入力部１４を介してパスワードを入力すると、セキュリティ確認部１３は、入力データとセキュリティ情報記憶部１２に予め記録された照合元データとの比較を行う（ステップＳ１０４）。
【００２４】
照合が一致した場合、セキュリティ制御部１１は、更にセキュリティ機能の設定の有無を判断する（ステップＳ１０５）。「動作モードＢ」の場合、セキュリティｂ（指紋入力）の機能も設定されているため、ステップ１０４に戻り、セキュリティ制御部１１は、次に、セキュリティｂの機能を動作させ、パスワード照合の場合と同様に指紋による照合を行う。
【００２５】
上記２種類の照合において不一致があればアクセスが拒否させるが（ステップＳ１０６）、両方とも照合が一致した場合、アドレス帳の閲覧、編集が可能な「動作モードＢ」が有効となる（ステップＳ１０７）。
【００２６】
次に、図４は、動作モードＣにおけるセキュリティの設定及び保護解除動作の手順を示すフローチャートである。
【００２７】
写真情報の閲覧、編集を実行する「動作モードＣ］の場合、初期設定（セキュリティ設定）では、上記のように、セキュリティａ（パスワード入力）またはセキュリティｃ（音声入力）のいずれか一方のセキュリティ機能で動作可否を判定するように設定されている（ステップＳ２０１）。即ち、この携帯機器では、パスワード入力または音声入力のいずれかによる照合（セキュリティ機能）で確認を行って問題がない場合のみ写真の閲覧、編集が行える。尚、本実施の形態では、セキュリティｃ（音声入力）による確認を優先するように初期設定された場合について説明する。
【００２８】
携帯機器の操作者が、入力部１４を介して「動作モードＣ」を選択すると（ステップＳ２０２）、セキュリティ制御部１１は、当該モードにおけるセキュリティ機能の設定の有無を判断する（ステップＳ２０３）。
【００２９】
選択した「動作モードＣ」ではセキュリティ機能が設定されているので、セキュリティ制御部１１は、はじめに、セキュリティｃの機能を動作させ、音声入力を要求する。操作者が、入力部１４を介して音声を入力すると、セキュリティ確認部１３は、入力音声データとセキュリティ情報記憶部１２に予め記録された照合元データとの比較を行う（ステップＳ２０４）。
【００３０】
照合が一致した場合、即座に、写真の閲覧、編集が可能な「動作モードＣ」が有効となる（ステップＳ２０７）。一方、音声の照合が不一致であった場合、セキュリティ制御部１１は、代替のセキュリティ機能の設定の有無を判断する（ステップＳ２０５）。「動作モードＣ」の場合、セキュリティａ（パスワード入力）の機能も設定されているため、ステップＳ２０４に戻り、セキュリティ制御部１１は、次に、セキュリティａの機能を動作させ、パスワード入力による照合を行う。ここで、パスワードの照合が一致した場合は、写真の閲覧、編集が可能となる（ステップＳ２０７）。一方、パスワード入力においても照合不一致であった場合、アクセスが拒否される（ステップＳ２０６）。
【００３１】
次に、動作モードＤにおけるセキュリティの設定及び保護解除動作の手順は、動作モードＢと動作モードＣにおける手順の組合せであり、セキュリティａ（パスワード入力）またはセキュリティｃ（音声入力）のいずれか一方のセキュリティ機能と、セキュリティｂ（指紋入力）のセキュリティ機能で問題がなければ、電子マネー機能を使用可能な動作モードＤが有効となる。従って、詳細な手順の説明は省略する。
【００３２】
以上のように、本発明の実施の形態における携帯機器は、携帯機器の動作モードごとに、認証形態の異なるセキュリティ機能のいずれを機能させるかを設定するためのセキュリティ制御部１１を備えることにより、セキュリティ機能の設定、解除が行え、更に、セキュリティ機能の組み合せを設定することもできるため、セキュリティレベルの強化や簡素化を操作者が自在に行うことができる。
【００３３】
したがって、本実施形態の携帯機器によれば、携帯機器の使用状況に応じて、必要なセキュリティ機能の組み合わせを設定することにより、ユーザーごとに異なるセキュリティレベルを柔軟に調整できるため、パーソナルユースとしての需要が高い携帯機器において有用である。
【００３４】
尚、上記の実施の形態において、セキュリティ機能の組み合わせの初期設定は、最高のセキュリティレベルにおける認証を行った後に設定可能とすることが好ましい。
【産業上の利用可能性】
【００３５】
本発明は、電子機器の動作モード毎に前記セキュリティ機能のいずれを機能させるかを設定するためのセキュリティ機能制御手段を備えることにより、複数のセキュリティ機能の組み合わせにより認証形態を異ならせることができる為、ユーザ毎に、動作モードに応じてセキュリティレベルを変化させることができる効果を有し、認証形態の異なる複数のセキュリティ機能を有する電子機器等に有用である。
【図面の簡単な説明】
【００３６】
【図１】本発明の実施の形態における携帯機器の内部構成を示すブロック図
【図２】本発明の実施の形態における携帯機器の、セキュリティ機能の組み合わせ設定例を示す図
【図３】動作モードＢにおけるセキュリティの設定及び保護解除動作の手順を示すフローチャート
【図４】動作モードＣにおけるセキュリティの設定及び保護解除動作の手順を示すフローチャート
【符号の説明】
【００３７】
１０  携帯機器
１１  セキュリティ制御部
１２  セキュリティ情報記憶部
１３  セキュリティ確認部
１４  入力部
１５  通信機能部
１６  出力部
１７  記憶部
【図１】
2006215730.tif 000003
【図２】
2006215730.tif 000004
【図３】
2006215730.tif 000005
【図４】
2006215730.tif 000006